(57)【要約】【課題】セグメント型液晶パネルからドットマトリックス型液晶パネルへの移行を容易にする。【解決手段】表示制御装置１００において、画面情報記憶部３０１は画面の識別情報と表示モードを対応付けて記憶する。設定情報記憶部３０２は画面の識別情報とクロック周波数の設定値を対応付けて記憶する。画像データ記憶部３０３は画像データを画面の識別情報と表示位置と対応付けて記憶する。入力受付部３０４は指定した画面を表示させる指示入力を受け付ける。クロック制御部３０６は指示入力が示す画面の識別情報に対応する設定値でクロック信号を出力する。画像生成部３０７は出力されるクロック信号に基づいて指示入力が示す表示モードに対応する画像データを取得し、取得した画像データを対応付けられた位置に配置した画像を生成する。表示部３０８は生成された画像を表示する。【選択図】図３
2014142556.tif 000002
【特許請求の範囲】
【請求項１】
画面の識別情報と表示モードとを対応付けて予め記憶する画面情報記憶部と、
前記画面の識別情報とクロック周波数の設定値とを対応付けて予め記憶する設定情報記憶部と、
画像データを前記画面の識別情報と表示位置と対応付けて予め記憶する画像データ記憶部と、
指定した画面を表示させる指示入力を受け付ける入力受付部と、
前記受け付けられた指示入力が示す画面の識別情報に対応する設定値を前記設定情報記憶部から取得し、前記取得した設定値でクロック信号を出力するクロック制御部と、
前記クロック制御部から出力されるクロック信号に基づいて、前記受け付けられた指示入力が示す表示モードに対応付けられた画像データを前記画像データ記憶部から取得し、前記取得した画像データに対応付けられた表示位置に前記画像データを配置した画像を生成する画像生成部と、
前記生成された画像を表示する表示部と、
を備えることを特徴とする表示制御装置。
【請求項２】
前記設定情報記憶部は、前記設定値として、第１の表示モードに対応する第１種のクロック信号と、第２の表示モードに対応し且つ前記第１種のクロック信号よりも周波数が大きい第２種のクロック信号とを、前記画面の識別情報と対応付けて記憶し、
前記表示制御装置の電源を投入する指示入力が受け付けられると、前記クロック制御部は初期値として前記第１種のクロック信号を出力し、前記表示部は前記第１の表示モードで前記画像を表示し、
前記クロック制御部は、前記第１の表示モードが対応付けられている識別情報が示す画面から、前記第２の表示モードが対応付けられている識別情報が示す画面に変更すると判別すると、前記第１種のクロック信号の出力を停止するとともに、前記第２種のクロック信号の出力を開始する、
ことを特徴とする、請求項１に記載の表示制御装置。
【請求項３】
前記クロック制御部は、前記画像生成部による前記表示画像の生成が終了すると、前記第２種のクロック信号の出力を停止するとともに、前記第１種のクロック信号の出力を開始する、
ことを特徴とする、請求項２に記載の表示制御装置。
【請求項４】
前記画面情報記憶部は、前記表示制御装置が取りうる状態を更に対応付けて予め記憶し、
前記クロック制御部は、前記表示制御装置の現在の状態が変化すると、変化後の状態に対応付けられている画面の識別情報を前記画面情報記憶部から取得し、前記取得した識別情報に対応付けられている前記クロック周波数の設定値を前記設定情報記憶部から取得し、前記取得した設定値でクロック信号を出力する、
ことを特徴とする、請求項２又は３に記載の表示制御装置。
【請求項５】
前記表示制御装置は、空気調和を制御する空調制御部を更に備え、
前記指示入力には、前記第１の表示モードと前記第２の表示モードのいずれか一方を指定する指示入力のほかに、前記空調制御部による動作の種類を指定する指示入力があり、
前記表示制御装置が取りうる状態には、前記表示制御装置の電源の状態と、前記空調制御部による動作の種類と、前記空調制御部による設定温度と、のうち少なくとも１つが含まれる、
ことを特徴とする、請求項４に記載の表示制御装置。
【請求項６】
指定した画面を表示させる指示入力を受け付ける入力受付ステップと、
前記受け付けられた指示入力が示す画面の識別情報に対応するクロック周波数の設定値を取得し、前記取得した設定値でクロック信号を出力するクロック制御ステップと、
前記クロック制御ステップにより出力されるクロック信号に基づいて、前記受け付けられた指示入力が示す表示モードに対応付けられた画像データを取得し、前記取得した画像データに予め対応付けられた表示位置に前記画像データを配置した画像を生成する画像生成ステップと、
前記生成された画像を表示する表示ステップと、
を備えることを特徴とする表示制御方法。
【請求項７】
コンピュータを、
画面の識別情報と表示モードとを対応付けて予め記憶する画面情報記憶部、
前記画面の識別情報とクロック周波数の設定値とを対応付けて予め記憶する設定情報記憶部、
画像データを前記画面の識別情報と表示位置と対応付けて予め記憶する画像データ記憶部、
指定した画面を表示させる指示入力を受け付ける入力受付部、
前記受け付けられた指示入力が示す画面の識別情報に対応する設定値を前記設定情報記憶部から取得し、前記取得した設定値でクロック信号を出力するクロック制御部、
前記クロック制御部から出力されるクロック信号に基づいて、前記受け付けられた指示入力が示す表示モードに対応付けられた画像データを前記画像データ記憶部から取得し、前記取得した画像データに対応付けられた表示位置に前記画像データを配置した画像を生成する画像生成部、
前記生成された画像を表示する表示部、
として機能させることを特徴とするプログラム。
【発明の詳細な説明】
【技術分野】
【０００１】
この発明は、セグメント型液晶パネルからドットマトリックス型液晶パネルへの移行を容易にする表示制御装置、表示制御方法、及び、プログラムに関する。
【背景技術】
【０００２】
電磁調理器（ＩＨ（Induction Heating）調理器）や炊飯器といった家電機器は、ユーザのボタン操作等により設定された温度や時間で加熱処理を行っており、ユーザの操作性を向上させるために、操作内容や機器の状態を液晶画面に表示することが多い。例えば、セグメント型液晶パネルやドットマトリックス型液晶パネルを搭載した加熱調理器が特許文献１に開示されている。
【０００３】
セグメント型液晶パネルは、文字や図形などの所定の形状を持つ複数のセグメント素子を備え、各セグメント素子に電圧を印加することにより、情報を表示させるものである。各セグメント素子の電圧制御には、例えばマイクロコンピュータ（マイコン）の汎用ポートを用いる。セグメント型液晶パネルは、構造が比較的単純なため安価に製造できるが、セグメント素子の形状や位置が製造時に固定されるため、表示内容が制限される。
【０００４】
ドットマトリックス型液晶パネルは、マトリックス状に配置した複数の画素を備え、各画素への電圧の印加を制御することにより、パネル上に任意の文字や図形を表示できる。駆動方式がセグメント型液晶パネルに比べて複雑であるため、画面内の全ての画素情報を生成してメモリに記憶するマイコンと、メモリの内容に基づいて各画素への電圧の印加の制御を行う液晶ドライバとを組み合わせて実現されることが多い。ドットマトリックス型液晶パネルは、セグメント型液晶パネルに比べて、表示できる内容の自由度が高いメリットがある一方、周辺部品が比較的高価であり、また画面全体の画素情報を生成するマイコンの処理負荷が高くなるデメリットがある。
【０００５】
家電機器の分野では、セグメント型液晶パネルを搭載した製品が多く存在しているが、近年のドットマトリックス型液晶パネルの低コスト化や、ユーザの操作性向上に対するニーズが高まっていることを受け、メニュー切り替えやフォントサイズの変更など、自由度が高い画面を表示できるドットマトリックス型液晶パネルへの移行が求められている。
【先行技術文献】
【特許文献】
【０００６】
【特許文献１】特開２００４−２２１００４号公報
【発明の概要】
【発明が解決しようとする課題】
【０００７】
しかしながら、ドットマトリックス型液晶パネルに切り換えるためには、ユーザ操作によって表示内容を切り替えるたびに、マイコンが座標演算や画像伸長を行って１画面分の画素情報を生成し、この画素情報を液晶ドライバに転送するという、高負荷なソフトウェア処理が必要となる。そのため、セグメント型液晶パネルを搭載していたときに使用していたマイコンでは処理能力が不足し、より高性能なマイコンを搭載しなければならない。そして、液晶表示に関わらない加熱処理などの機器本体の制御処理についても、変更後のマイコンへの移植作業が必要であり、開発にかかる負荷や信頼性の観点から、セグメント型液晶パネルからドットマトリックス型液晶パネルに容易に移行することができない問題があった。
【０００８】
また、マイコンの機種変更を行わないとしても、セグメント型液晶パネルの制御からドットマトリックス型液晶パネルの制御にソフトウェア処理を変えることにより、家電機器制御の動作タイミングや時間的制約なども変わってくるため、家電機器全体のソフトウェアの再設計や再評価が必要となってくる問題があった。
【０００９】
本発明は、このような課題を解決するものであり、セグメント型液晶パネルからドットマトリックス型液晶パネルへの移行を容易にする表示制御装置、表示制御方法、及び、プログラムを提供することを目的とする。
【課題を解決するための手段】
【００１０】
上記目的を達成するため、本発明に係る表示制御装置は、
画面の識別情報と表示モードとを対応付けて予め記憶する画面情報記憶部と、
前記画面の識別情報とクロック周波数の設定値とを対応付けて予め記憶する設定情報記憶部と、
画像データを前記画面の識別情報と表示位置と対応付けて予め記憶する画像データ記憶部と、
指定した画面を表示させる指示入力を受け付ける入力受付部と、
前記受け付けられた指示入力が示す画面の識別情報に対応する設定値を前記設定情報記憶部から取得し、前記取得した設定値でクロック信号を出力するクロック制御部と、
前記クロック制御部から出力されるクロック信号に基づいて、前記受け付けられた指示入力が示す表示モードに対応付けられた画像データを前記画像データ記憶部から取得し、前記取得した画像データに対応付けられた表示位置に前記画像データを配置した画像を生成する画像生成部と、
前記生成された画像を表示する表示部と、
を備えることを特徴とする。
【発明の効果】
【００１１】
セグメント型液晶パネルからドットマトリックス型液晶パネルへの移行を容易にすることができる。
【図面の簡単な説明】
【００１２】
【図１】表示制御装置のハードウェア構成を説明するための図である。
【図２】（ａ）セグメントモードにおける表示画面の構成例を示す図である。（ｂ）ドットマトリックスモードにおける表示画面の構成例を示す図である。
【図３】表示制御装置の機能的な構成を説明するための図である。
【図４】画面情報記憶部に記憶される画面情報の構成例を示す図である。
【図５】設定情報記憶部に記憶される設定情報の構成例を示す図である。
【図６】画像データ記憶部に記憶されるデータの構成例である。
【図７】表示制御処理を説明するフローチャートである。
【図８】セグメントモードにおける表示例を示す図である。
【図９】ドットマトリックスモードにおける表示例を示す図である。
【図１０】表示制御処理を説明するフローチャートである。
【発明を実施するための形態】
【００１３】
本発明の実施形態を説明する。以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【００１４】
（実施形態１）
まず、実施形態１について説明する。本実施形態の表示制御装置１００は、空気調和機（いわゆるエアコン）と一体に構成され、暖房、冷房、除湿、送風の制御を行うとともに、設定温度、送風量、暖房・冷房・除湿・送風の区別を表す動作モード、タイマの設定時間などの様々なパラメータの値を表示する。
【００１５】
ただし、表示制御装置１００は、例えばＩＨ調理器、オーディオ機器、その他家電機器などのように、空気調和機ではない任意の機器と一体に構成されてもよい。また、空気調和機等の機器と一体に構成される代わりに、ユーザが手元で操作可能な、空気調和機等と無線で通信するリモートコントローラ部分に、本実施形態の表示制御装置１００を採用してもよい。さらには、表示制御装置１００は、空気調和機等の機器と一体に構成される代わりに、任意の機器と通信可能に接続されてもよい。
【００１６】
図１に、表示制御装置１００のハードウェア構成を示す。表示制御装置１００は、ＣＰＵ（Central Processing Unit）１０１、記憶部１０２、画像処理部１０３、ドライバＩＣ１０４、ドットマトリックス型液晶パネル１０５、入力部１０６、空調部１０７を備える。
【００１７】
ＣＰＵ１０１は、記憶部１０２に記憶されているプログラムを実行し、表示制御装置１００の全体を制御する。ＣＰＵ１０１として、セグメント型液晶パネルを搭載する機器で使用されるＣＰＵと同程度の性能を有するＣＰＵを使用することが可能であり、セグメント型液晶パネルを搭載する機器と同様のプログラムを動作させることが可能である。
【００１８】
本実施形態では、ドットマトリックス型液晶パネル１０５を備える表示制御装置１００を制御するためのＣＰＵ１０１として、セグメント型液晶パネルを備える機器に搭載されるＣＰＵと同じものが使用される。ＣＰＵ１０１は、セグメント型液晶パネルを制御する制御信号を用いて、画像処理部１０３とドライバＩＣ１０４を介して、ドットマトリックス型液晶パネル１０５を制御することができる。セグメント型液晶パネルを搭載した機器に、本実施形態の画像処理部１０３を追加して搭載することにより、表示制御装置１００を構成することができるのである。
【００１９】
また、ＣＰＵ１０１は、入力部１０６が受け付けた指示入力に基づいて、空調部１０７による空気調和処理などを制御する。
【００２０】
記憶部１０２は、ＲＯＭ（Read Only Memory）、ＲＡＭ（Random Access Memory）などの記憶装置を備え、オペレーティングシステム、プログラム、様々なデータを記憶する。記憶部１０２には不揮発性メモリ領域が設けられており、表示制御装置１００の電源を落としても、空調部１０７の制御に用いるパラメータ値などを記憶し、電源の再投入後に再び同じパラメータ値を読み出して用いることができる。
【００２１】
画像処理部１０３は、セグメント型液晶パネルを制御する制御信号をＣＰＵ１０１から取得し、ドットマトリックス型液晶パネル１０５に画像を表示するための画素情報であって、設定温度（空調の目標温度）、動作モード、現在の室内の温度などを表す様々な情報を含む画像を表す画素情報を生成し、ドライバＩＣ１０４に出力する。
【００２２】
ドライバＩＣ（Integrated Circuit）１０４は、画像処理部１０３によって生成された画素情報からドットマトリックス型液晶パネル１０５を制御する制御信号を生成してドットマトリックス型液晶パネル１０５に出力し、画像を表示させる。
【００２３】
ドットマトリックス型液晶パネル１０５には、縦にＮ個、横にＭ個、格子状に表示素子（以下、「画素」とも言う。）が配列されている。Ｎ，Ｍは１以上の整数である。ドライバＩＣ１０４は、各表示素子への印加電圧を変えることにより液晶分子の配向を制御し、ドットマトリックス型液晶パネル１０５に画像を表示させる。
【００２４】
画像処理部１０３とドライバＩＣ１０４について更に詳しく説明する。画像処理部１０３は、ＣＰＵ１０１から入力される、セグメント型液晶パネルを制御する制御信号に基づいて、ドットマトリックス型液晶パネル１０５の各画素の制御に用いる画素情報を生成し、１画面分の画素情報を保持するメモリ（図示せず）に記憶する。この画素情報が記憶されるメモリは、画像処理部１０３に内蔵されていてもよいし、画像処理部１０３の外部に配置されていてもよい。
【００２５】
さらに、画像処理部１０３は、メモリに記憶された画素情報をドライバＩＣ１０４に出力する。ドライバＩＣ１０４は、入力された画素情報に基づいて、ドットマトリックス型液晶パネル１０５を制御する制御信号を生成し、ドットマトリックス型液晶パネル１０５が有する各画素を制御する。この結果、ＣＰＵ１０１は、画像処理部１０３とドライバＩＣ１０４を介して、セグメント型液晶パネルを制御する制御信号を用いて、ドットマトリックス型液晶パネル１０５を制御することができ、ドットマトリックス型液晶パネル１０５に任意の文字、記号、図形などを表示させることができる。
【００２６】
ここで、表示モードについて説明する。表示モードには、第１の表示モードであるセグメントモードと、第２の表示モードであるドットマトリックスモードとがある。画像処理部１０３は、いずれか一方の表示モードを選択し、セグメント形式の画素情報もしくはドットマトリックス形式の画素情報を生成する。
【００２７】
図２（ａ）に、セグメントモードにおいて表示される画面２０１の構成例を示す。セグメントモードでは、典型的には、０から９までの数字が７セグメントを用いて表される。ＣＰＵ１０１は、上一桁の数字を構成する７個のセグメントと下一桁の数字を構成するもう一方の７個のセグメントとの合計１４個のセグメントのそれぞれを表示させる（ＯＮ）か非表示させない（ＯＦＦ）かを決定し、セグメント型液晶パネルを制御する制御信号を生成し、画像処理部１０３に出力する。画像処理部１０３は、ＣＰＵ１０１から入力されたセグメント型液晶パネルを制御する制御信号に従って、ドットマトリックス型液晶パネル１０５の表示領域全体のうち、各セグメントを表す画像に対応する表示領域内の画素情報を生成する。ドライバＩＣ１０４は、生成された画素情報からドットマトリックス型液晶パネル１０５を制御する制御信号を生成し、各画素を制御する。
【００２８】
図２（ａ）の例では、数字の桁１つにつき、すべてのセグメントのＯＮとＯＦＦの組み合わせは、単純に計算すれば２の７乗通りであるが、ここでは０から９までの数字のみ表示するので、１０通りの点灯パターンを考慮すればよい。ＣＰＵ１０１は、セグメント型液晶パネルを制御する制御信号を、桁１つにつき１０通り使い分ければよい。
【００２９】
図２（ｂ）に、ドットマトリックスモードにおける表示画面２０２の構成例を示す。ドットマトリックスモードは、セグメントモードよりも表示の自由度が高く、例えばアニメーションの表示、任意の図形の表示、文字サイズの変更、ユーザの要求に応じた詳しい操作ガイダンスの表示などが可能である。
【００３０】
入力部１０６は、ボタンなどの入力装置を備え、ユーザからの指示入力を受け付ける。入力部１０６は、具体的には例えば、タクトスイッチ、ロータリースイッチ、タッチパネルなどを備えてもよい。入力部１０６は、ユーザが表示制御装置１００の電源を入れる（ＯＮ）及び落とす（ＯＦＦ）指示、空調部１０７の動作モードを選択する指示、表示モードを選択する指示、各種パラメータを設定する指示などを入力するためのユーザインタフェースであり、押圧されたボタンに対応する操作信号をＣＰＵ１０１に出力する。ＣＰＵ１０１は、操作信号に基づいて、電源、表示モード、各種パラメータなどを設定し、画像処理部１０３や空調部１０７を制御する。
【００３１】
空調部１０７は、空気調和を行うための機器及び回路を備え、表示制御装置１００が設置された環境における測定温度が指示された設定温度になるように、空気を加熱あるいは冷却する。また、空調部１０７は、表示制御装置１００が設置された環境における湿度が所定値以下になるように空気を冷却したり、設定された強さで風を送ったりする。
【００３２】
なお、表示制御装置１００を空気調和機ではない他の機器と一体に構成する場合には、空調部１０７を設ける代わりに、目的に応じて必要なハードウェア構成を設ければよい。例えば、表示制御装置１００をＩＨ調理器と一体に構成する場合には、空調部１０７の代わりに、電磁コイルを用いた誘導加熱により金属を加熱するハードウェアを備えるようにすればよい。
【００３３】
次に、本実施形態の表示制御装置１００の機能的な構成について、図３等を用いて説明する。表示制御装置１００は、画面情報記憶部３０１、設定情報記憶部３０２、画像データ記憶部３０３、入力受付部３０４、空調制御部３０５、クロック制御部３０６、画像生成部３０７、表示部３０８を備える。
【００３４】
画面情報記憶部３０１は、画面の識別情報と、表示制御装置１００が取りうる状態（機器状態）と、表示属性と、を対応付けて予め記憶する。記憶部１０２が、画面情報記憶部３０１として機能する。
【００３５】
図４に、画面情報記憶部３０１に記憶される画面情報の構成例を示す。画面の識別情報は、画面（メニュー画面、設定画面、予約画面など）を一意に識別できる情報であり、典型的には数字で表される。機器状態とは、例えば、電源が入っている（ＯＮ）か入っていない（ＯＦＦ）かの区別、動作モードの区別、設定温度などである。表示属性とは、例えば、表示モードの区別、文字サイズ、ユーザが温度やタイマなどを設定するための助けとなるガイダンス表示の有無などである。機器状態と表示属性の詳細は任意に定義可能であり、図４に示したものに限定されない。
【００３６】
設定情報記憶部３０２は、画面の識別情報と、クロック周波数の設定値と、を対応付けて予め記憶する。記憶されるクロック周波数の設定値は、画像処理にかかる負荷の測定値もしくは予測値に応じて予め決められる。例えば、画像処理の負荷が大きい画面については、クロック制御部３０６によって画像生成部３０７の動作クロックが比較的高速な値に設定されることにより、複雑な画面であってもより高速に表示できるようにする。逆に、画像処理の負荷が小さい画面については、クロック制御部３０６によって画像生成部３０７の動作クロックが比較的低速に設定されることにより、表示制御装置１００による消費電力を抑制することができる。記憶部１０２が、設定情報記憶部３０２として機能する。
【００３７】
図５に、設定情報記憶部３０２に記憶される設定情報の構成例を示す。クロック周波数の設定値には、本実施形態では、第１の設定値“１０ＭＨｚ（メガヘルツ）”と、第１の設定値よりも大きい第２の設定値“１５ＭＨｚ”のどちらかが設定される。低速の第１の設定値はセグメントモードに対応し、高速の第２の設定値はドットマトリックスモードに対応する。ただし、「第１の設定値＜第２の設定値」の関係を満たしていれば、第１の設定値と第２の設定値の両方もしくは一方を、図５に示した値と異なる任意の値に設定してもよい。
【００３８】
本実施形態では、入力受付部３０４と空調制御部３０５は、第１の設定値で表されるクロック（第１種のクロック）で常に動作し、クロック制御部３０６は、第２の設定値で表されるクロック（第２種のクロック）で常に動作する。一方、他の画面情報記憶部３０１、設定情報記憶部３０２、画像データ記憶部３０３、画像生成部３０７、表示部３０８は、第１種のクロックと第２種のクロックとのうちのどちらかで動作する。クロック周波数はクロック制御部３０６によって決定される。
【００３９】
表示制御装置１００による画像処理を割り込み関数によって行い、マルチタスクが可能になるように設計する場合には、上述のクロック周波数の設定値を、割り込み関数の割り込み時間に置き換えることができる。例えば、６０分の１０秒間隔の第１の割り込み関数と、６０分の１秒間隔の第２の割り込み関数が用いられる場合、設定情報記憶部３０２は、画面の識別情報と、どちらの割り込み関数を使用するかを指定する情報と、を対応付けて予め記憶してもよい。そして、画像生成部３０７は、負荷が小さい画像処理を行う際には第１の割り込み関数を用い、負荷が大きい画像処理を行う際には第２の割り込み関数を用いてもよい。
【００４０】
画像データ記憶部３０３は、画像データを記憶する。画像データは所定のフォーマットで作成される。また、画像データ記憶部３０３は、画面の識別情報と、使用される画像データの識別情報と、ドットマトリックス型液晶パネル１０５の表示領域内に定義される座標系の座標値を用いて表される表示位置と、を対応付けたテーブルを予め記憶する。記憶部１０２が、画像データ記憶部３０３として機能する。
【００４１】
図６に、画像データ記憶部３０３に記憶されるテーブルの構成例を示す。画像データの識別情報には、典型的には数字や記号等を用いたデータファイル名が用いられる。表示位置は、Ｘ−Ｙ平面座標系における座標値で表される。
【００４２】
入力受付部３０４は、指定した画面を表示させる指示入力や、空調制御部３０５により実行される空気調和処理に用いる設定温度や設定風量などのパラメータを表す指示入力を、ユーザから受け付ける。例えば、入力受付部３０４は、入力部１０６が備えるボタンがユーザによって押圧されることによる指示入力を受け付ける。
【００４３】
そして、入力受付部３０４は、受け付けた指示入力が画面を指定するものである場合には、受け付けた指示入力をクロック制御部３０６に出力する。また、入力受付部３０４は、受け付けた指示入力が空調処理に用いるパラメータを表すものである場合には、受け付けた指示入力を空調制御部３０５と画像生成部３０７に出力する。入力部１０６が、入力受付部３０４として機能する。
【００４４】
空調制御部３０５は、入力受付部３０４が受け付けた指示入力に基づいて、もしくは、所定のアルゴリズムに基づいて、空気の加熱、冷却、除湿、あるいは送風を制御する。ＣＰＵ１０１と空調部１０７が協働して、空調制御部３０５として機能する。
【００４５】
また、空調制御部３０５は、電源の状態、空調の設定温度や設定時間、動作モードといった表示制御装置１００の状態（以下、「機器状態」という。）を判別し、判別結果を内部バッファ（図示せず）に記憶し、随時更新する。状態に変化があった場合には、空調制御部３０５は、変化後の状態を示す信号をクロック制御部３０６と画像生成部３０７に出力する。
【００４６】
クロック制御部３０６は、表示制御装置１００の電源が投入されると、初期値として、相対的に小さい値である第１の設定値のクロック信号（第１種のクロック信号）を、画面情報記憶部３０１、設定情報記憶部３０２、画像データ記憶部３０３、入力受付部３０４、空調制御部３０５、画像生成部３０７、表示部３０８に出力する。これら各部は、電源の投入直後には、第１の設定値の周波数で動作する。
【００４７】
電源投入後、セグメントモードが対応付けられている識別情報が示す画面から、ドットマトリックスモードが対応付けられている識別情報が示す画面に変更すると判別した場合や、空調制御部３０５による空調処理の負荷が所定量より大きくなった場合に、クロック制御部３０６は、第１種のクロック信号の出力を停止するとともに、相対的に大きい値である第２の設定値のクロック信号（第２種のクロック信号）を、画面情報記憶部３０１、設定情報記憶部３０２、画像データ記憶部３０３、画像生成部３０７、表示部３０８に出力する。これら各部は、第２の設定値の周波数で動作する。
【００４８】
また、クロック制御部３０６は、ドットマトリックス型液晶パネル１０５に表示する画面が変更される場合、切り換え後の画面に対応するクロック周波数の設定値を、設定情報記憶部３０２に記憶されている設定情報に基づいて判別する。クロック制御部３０６は、判別した設定値に従ってクロック周波数を決定し、クロック信号を各部に送信する。
【００４９】
このように、画面情報記憶部３０１、設定情報記憶部３０２、画像データ記憶部３０３、画像生成部３０７、表示部３０８に供給されるクロック信号は、第１種のクロック信号から第２種のクロック信号へ、もしくは、第２種のクロック信号から第１種のクロック信号へ、変更されることがある。ＣＰＵ１０１が、クロック制御部３０６として機能する。
【００５０】
例えば、クロック制御部３０６は、表示制御装置１００の動作モードが冷房から送風に切り替わったときなど、現在の機器状態が変化すると、変化後の状態に対応付けられている画面の識別情報を画面情報記憶部３０１から取得する。また、クロック制御部３０６は、取得した識別情報に対応付けられているクロック周波数の設定値を、設定情報記憶部３０２から取得する。そして、クロック制御部３０６は、取得した設定値でクロック信号を出力する。
【００５１】
画像生成部３０７は、クロック制御部３０６によって設定されたクロック周波数に従い、入力受付部３０４が受け付けた指示入力に基づいて、もしくは、所定のアルゴリズムに基づいて、ドットマトリックス型液晶パネル１０５に表示する画像を表す画素情報を生成する。ＣＰＵ１０１と画像処理部１０３が協働して、画像生成部３０７として機能する。
【００５２】
表示部３０８は、画像生成部３０７によって生成された１画面分の画像をドットマトリックス型液晶パネル１０５に表示する。ＣＰＵ１０１と画像処理部１０３とドットマトリックス型液晶パネル１０５が協働して、表示部３０８として機能する。
【００５３】
ここで、画像生成部３０７と表示部３０８が行う表示制御処理について詳しく説明する。画像生成部３０７は、画面情報記憶部３０１に記憶されている画面情報に基づいて、現在の機器状態に対応する画面の識別情報、もしくは、入力受付部３０４が受け付けた指示入力が示す画面の識別情報を判別する。画像生成部３０７は、判別した画面の識別情報が対応付けられている画像データを画像データ記憶部３０３から取得する。
【００５４】
例えば、図２（ａ）に示すように、設定温度が２６度である旨の画像２０１がセグメントモードで表示されているときに、ドットマトリックスモードに変更する旨の指示入力が受け付けられると、画像生成部３０７は、同じ内容であって且つドットマトリックスモードに対応する画像データを画像データ記憶部３０３から取得する。画面が複数の画像データから構成される場合には、それぞれの画像データについて、同じ内容であって且つドットマトリックスモードに対応する画像データを画像データ記憶部３０３から取得する。
【００５５】
そして、画像生成部３０７は、画像データ記憶部３０３から取得した画像データに対応付けられた表示位置にその画像データを配置した、１画面分の画素情報から構成される画像を、生成する。生成された画像は、例えば図２（ｂ）に示すように、ドットマトリックスモードで表示部３０８によって表示される。
【００５６】
また、画像生成部３０７は、空調制御部３０５から現在の表示制御装置１００の機器状態を取得すると、取得した機器状態に対応する画面の識別情報を判別し、判別した画面の識別情報に対応付けられている画像データを画像データ記憶部３０３から取得する。
【００５７】
例えば、図２（ｂ）に示すように、設定温度が２６度である旨の画像２０１がドットマトリックスモードで表示されているときに、空調制御部３０５による空調処理の負荷が所定値よりも大きくなると、画像生成部３０７は、同じ内容であって且つセグメントモードに対応する画像データを画像データ記憶部３０３から取得する。画面が複数の画像データから構成される場合には、それぞれの画像データについて、同じ内容であって且つセグメントモードに対応する画像データを画像データ記憶部３０３から取得する。
【００５８】
そして、画像生成部３０７は、画像データ記憶部３０３から取得した画像データに対応付けられた表示位置にその画像データを配置した、１画面分の画素情報から構成される画像を、生成する。生成された画像は、例えば図２（ａ）に示すように、セグメントモードで表示部３０８によって表示される。
【００５９】
ドットマトリックスモードでは、画像生成部３０７がセグメントモードよりもより複雑で自由度の高い画像を生成し、表示部３０８が表示することができる。例えば、画像生成部３０７は、文字サイズを変更する指示入力や、ガイダンス表示の有無を指定する指示入力などが受け付けられると、受け付けられた指示入力に基づいて、文字サイズの変更やガイダンス表示の有無などを決定する。そして、画像生成部３０７は、決定した文字サイズの変更やガイダンス表示の有無などに基づいて、必要な画像データを画像データ記憶部３０３から取得して画像を生成し、表示部３０８が画像を表示する。ユーザは、好みに応じて、セグメントモードの画面とドットマトリックスモードの画面を使い分けることができる。
【００６０】
従来のようにセグメント型液晶パネルによる表示を制御する際には、各セグメントを点灯させるか否かを示す制御信号が出力される。例えば、７セグメントによる数字を表示する場合には、７つの各セグメントのＯＮとＯＦＦを示す制御信号が出力される。ドットマトリックス型液晶パネル１０５を備える本実施形態の表示制御装置１００のＣＰＵ１０１は、セグメント型液晶パネルにおける各セグメントのＯＮとＯＦＦを示す制御信号を画像処理部１０３に出力し、画像処理部１０３は、この制御信号をドットマトリックス型液晶パネル１０５を制御する制御信号に変換する。従来のセグメント型液晶パネルの１つのセグメントをＯＮにする制御信号は、本実施形態においては、そのセグメントを表す画像データを取得して表示させる旨の制御信号となる。したがって、表示制御装置１００は、セグメント型液晶パネルの各セグメントを制御するために従来用いていたロジックを、ドットマトリックス型液晶パネルに特定の画像を表示させるロジックにそのまま転用できる、もしくは転用しやすくなるのである。また、セグメント型液晶パネルを搭載した機器で使用されていた既存のソフトウェアの変更を最小限に抑え、再設計や再評価の作業負荷を削減でき、セグメント型液晶パネルからドットマトリックス型液晶パネルへの移行が容易になる。
【００６１】
次に、本実施形態の表示制御装置１００によって実行される表示制御処理の流れについて、図７のフローチャート等を用いて説明する。ここでは、ユーザが空調の動作モードを「冷房」から「送風」に変更した場合を例にとって、表示制御処理を説明する。また、ドットマトリックス型液晶パネル１０５には、当初、セグメントモードで画面が表示されているものとする。
【００６２】
まず、ユーザは、ボタンなどを操作して、動作モードを冷房から送風に変更する指示を入力する。入力受付部３０４は、動作モードを冷房から送風に変更する指示入力を受け付ける（ステップＳ７０１）。
【００６３】
空調制御部３０５は、入力受付部３０４が受け付けた指示入力に基づいて、動作モードを冷房から送風に変更して、空調の制御を続ける（ステップＳ７０２）。
【００６４】
画像生成部３０７は、ドットマトリックス型液晶パネル１０４に表示する画面を更新するか否かを判別する（ステップＳ７０３）。本実施形態では、冷房運転中と送風運転中とで異なる画面が予め用意されており、冷房運転中にはセグメントモードの画面が表示され、送風運転中にはドットマトリックスモードの画面が表示される。画像生成部３０７は、動作モードが冷房から送風に変更されると、画面を送風運転中のものに更新すると判別する。一方、動作モードが変更されないと、画像生成部３０７は、画面を更新しないと判別する。
【００６５】
画面を更新しないと判別した場合（ステップＳ７０３；ＮＯ）、表示部３０８は、セグメントモードの画面の表示を続け、ステップＳ７０１に戻る。一方、画面を更新すると判別した場合（ステップＳ７０３；ＹＥＳ）、画像生成部３０７は、表示すべき画面の識別情報を判別し、画面情報記憶部３０１に記憶されている画面情報に基づいて、表示モードを変更するか否かを判別する（ステップＳ７０４）。
【００６６】
表示モードを変更しないと判別した場合（ステップＳ７０４；ＮＯ）、画像生成部３０７は、後述するステップＳ７０７の処理に移る。一方、表示モードを変更すると判別した場合（ステップＳ７０４；ＹＥＳ）、クロック制御部３０６は、表示すべき画面の識別情報に対応するクロック周波数の設定値を、設定情報記憶部３０２から取得する（ステップＳ７０５）。
【００６７】
クロック制御部３０６は、取得した設定値を、画面情報記憶部３０１と設定情報記憶部３０２と画像データ記憶部３０３と画像生成部３０７と表示部３０８に供給する動作クロックとする。クロック制御部３０６は、画面情報記憶部３０１と設定情報記憶部３０２と画像データ記憶部３０３と画像生成部３０７と表示部３０８に供給するクロック信号を、セグメントモードに対応する第１種のクロック信号から、ドットマトリックスモードに対応する第２種のクロック信号に変更する（ステップＳ７０６）。画面情報記憶部３０１と設定情報記憶部３０２と画像データ記憶部３０３と画像生成部３０７と表示部３０８は、ドットマトリックスモードに対応する第２種のクロック信号に基づいて動作する。ただし、入力受付部３０４と表示部３０８は、セグメントモードに対応する第１種のクロック信号に基づいて動作する。
【００６８】
画像生成部３０７は、画像データ記憶部３０３に記憶されているテーブルに基づいて、新しい表示画面の識別情報に対応付けられている画像データを画像データ記憶部３０３から取得する（ステップＳ７０７）。画面の識別情報に複数の画像データが対応付けられている場合、画像生成部３０７は、対応付けられているすべての画像データを取得する。
【００６９】
画像生成部３０７は、取得した画像データを指定された表示位置に配置した画像を生成する（ステップＳ７０８）。
【００７０】
ステップＳ７０７〜７０８の処理は、セグメントモードでは第１種のクロック信号に基づいて行われ、ドットマトリックスモードでは第２種のクロック信号に基づいて行われる。
【００７１】
そして、表示部３０８は、ステップＳ７０８で生成された画素情報に基づいて、ドットマトリックス型液晶パネル１０４に画面を表示する（ステップＳ７０９）。表示制御装置１００は、空調動作中、上記ステップＳ７０１〜Ｓ７０９を繰り返す。
【００７２】
図８に、セグメントモードにおける表示例を示す。設定温度が表示される表示領域８１０には、セグメント型液晶パネルを用いた表示のように、数字や簡易な記号などを使った画像が表示される。ユーザへの操作ガイダンスが表示される表示領域８２０には、セグメントモードでは何も表示されない。
【００７３】
図９に、ドットマトリックスモードにおける表示例を示す。設定温度などが表示される表示領域８１０には、セグメントモードよりも表示の仕方の自由度が高い画像が表示される。ユーザへの操作ガイダンスが表示される表示領域８２０には、例えば、節電のために好ましい設定温度や、予測される消費電力の目安などといった案内が表示される。操作ガイダンスの具体的な内容は任意である。表示領域８２０を設けない実施形態を採用することも可能である。
【００７４】
なお、クロック制御部３０６は、ステップＳ７０９で新しい表示画像がドットマトリックス型液晶パネル１０４に表示された後、画面情報記憶部３０１と設定情報記憶部３０２と画像データ記憶部３０３と画像生成部３０７と表示部３０８に供給するクロック信号を、第２種のクロック信号から第１種のクロック信号へ直ちに戻してもよい。この場合、比較的消費電力が多くなる傾向にあるドットマトリックスモードでの各部の動作が最小限に抑えられる。
【００７５】
本実施形態によれば、空調制御部３０５とは独立した画像生成部３０７が画素情報を生成し、また空調制御部３０５とは独立したクロック制御部３０６が動作クロックを最適な値に逐次切り換えるので、セグメント型液晶パネルを搭載した機器で使用されていた既存のソフトウェアの変更を最小限に抑え、再設計や再評価の作業負荷を削減でき、セグメント型液晶パネルからドットマトリックス型液晶パネルへの移行が容易になる。
【００７６】
また、第１種のクロック信号と第２種のクロック信号の出力を切り換えるクロック制御部３０６を備えることにより、表示制御装置１００の全体による消費電力を抑えることができる。さらに、画素情報の生成の処理負荷に応じてクロック周波数を変更できるため、表示速度のパフォーマンスを必要以上に低下させることなく、最適な消費電力で表示制御装置１００を動作させることができる。
【００７７】
本実施形態では、動作モードを冷房から送風に変更した場合を例にとって表示制御処理を説明したが、動作モードの他の変更パターンについても同様である。また、動作モードを変更する指示入力を受け付けた場合だけでなく、表示モードを変更する指示入力を受け付けた場合も、本実施形態と同様の表示制御処理を行うことができる。
【００７８】
（実施形態２）
次に、実施形態２について、図１０のフローチャートを用いて説明する。上記実施形態１では、表示モードはユーザからの指示入力に基づいて変更されるが、本実施形態では、表示制御装置の状態（機器状態）に応じて変更される。
【００７９】
まず、空調制御部３０５は、現在の機器状態を取得する（ステップＳ１００１）。
【００８０】
上述したように、空調制御部３０５は、機器状態等を記憶する内部バッファを備えており、機器状態等を記憶し、随時更新する。内部バッファに記憶される情報には、電源状態、動作モード、設定温度、風量などのほか、温度計（図示せず）によって測定された現在の温度、湿度計（図示せず）によって測定された現在の湿度などもある。
【００８１】
空調制御部３０５は、機器状態が変化したか否かを判別する（ステップＳ１００２）。空調制御部３０５は、現在設定されている機器状態が、内部バッファに記憶した機器状態と異なる場合に、機器状態が変化したと判別し、同じ場合に、機器状態が変化していないと判別する。
【００８２】
機器状態が変化していないと判別した場合（ステップＳ１００２；ＮＯ）、ステップＳ１００１の処理に戻る。一方、機器状態が変化したと判別した場合（ステップＳ１００２；ＹＥＳ）、空調制御部３０５は、機器状態が変化した旨、及び、変化後の機器状態を、画像生成部３０７に通知し、画像生成部３０７は、表示モードを変更するか否か（ステップＳ１００３）。画像生成部３０７は、画面情報記憶部３０１に記憶されている画面情報に基づいて、取得した機器状態に対応する画面の識別情報及び表示モードを取得し、表示モードを変更するか否かを判別する。
【００８３】
表示モードを変更しないと判別した場合（ステップＳ１００３；ＮＯ）、画像生成部３０７は、後述するステップＳ１００６の処理に移る。例えば、機器状態のうちの設定温度が２０度から２１度に変更されたが、いずれの設定温度でも表示モードが同じである場合、画像生成部３０７は、表示モードを変更しないと判別する。この場合、後述するステップＳ１００６〜Ｓ１００８の処理が実行されることにより、ドットマトリックス型液晶パネル１０４に表示される情報のうち、設定温度を示す数字部分のみが変更されるだけである。
【００８４】
一方、表示モードを変更すると判別した場合（ステップＳ１００３；ＹＥＳ）、クロック制御部３０６は、変更された機器状態を表す画面の識別情報に対応するクロック周波数の設定値を、設定情報記憶部３０２から取得する（ステップＳ１００４）。
【００８５】
クロック制御部３０６は、取得した設定値にクロック周波数を変更し（ステップＳ１００５）、各部にクロック信号を出力する。例えば、セグメントモードからドットマトリックスモードへ変更する場合には、クロック制御部３０６は、画面情報記憶部３０１と設定情報記憶部３０２と画像データ記憶部３０３と画像生成部３０７と表示部３０８に第２種のクロック信号を出力し、入力受付部３０４と表示部３０８に第１種のクロック信号を出力する。
【００８６】
画像生成部３０７は、画像データ記憶部３０３に記憶されているテーブルに基づいて、変更された機器状態を表す画面の識別情報に対応付けられている画像データを、画像データ記憶部３０３から取得する（ステップＳ１００６）。
【００８７】
画像生成部３０７は、取得した画像データを指定された表示位置に配置した画像を生成する（ステップＳ１００７）。ステップＳ１００６〜１００８の処理は、セグメントモードでは第１種のクロック信号に基づいて行われ、ドットマトリックスモードでは第２種のクロック信号に基づいて行われる。
【００８８】
そして、表示部３０８は、ステップＳ１００７で生成された画素情報に基づいて、ドットマトリックス型液晶パネル１０４に画面を表示する（ステップＳ１００８）。表示制御装置１００は、空調動作中、上記ステップＳ１００１〜Ｓ１００８を繰り返す。
【００８９】
このように、本実施形態によれば、ユーザからの表示モードを変更する旨の指示入力がない場合であっても、機器状態に応じて、機器状態に合った表示モードに切り換えることができる。
【００９０】
本発明は、上述した実施形態に限定されず、種々の変形及び応用が可能である。また、上述した実施形態の各構成要素を自由に組み合わせることも可能である。
【００９１】
上記各実施形態では、空気調和機能を有する表示制御装置１００を例にとって説明したが、表示装置を有するあらゆる家電機器において実施可能である。そして、ユーザはセグメントモードとドットマトリックスモードを容易に切り替えることができるので、従来の操作と同様の操作を望むユーザとアニメーション表示やガイダンス表示などのドットマトリックス型液晶に移行したことによる新機能を活用した操作性向上を望むユーザの双方のニーズに合わせた機器を提供することができる。
【００９２】
以上のように、上記各実施形態によれば、セグメント型液晶パネルからドットマトリックス型液晶パネルへの移行を容易にすることができる。
【符号の説明】
【００９３】
１００  表示制御装置、１０１  ＣＰＵ、１０２  記憶部、１０３  画像処理部、１０４  ドライバＩＣ、１０５  ドットマトリックス型液晶パネル、１０６  入力部、１０７  空調部、３０１  画面情報記憶部、３０２  設定情報記憶部、３０３  画像データ記憶部、３０４  入力受付部、３０５  空調制御部、３０６  クロック制御部、３０７  画像生成部、３０８  表示部
【図１】
2014142556.tif 000003
【図２】
2014142556.tif 000004
【図３】
2014142556.tif 000005
【図４】
2014142556.tif 000006
【図５】
2014142556.tif 000007
【図６】
2014142556.tif 000008
【図７】
2014142556.tif 000009
【図８】
2014142556.tif 000010
【図９】
2014142556.tif 000011
【図１０】
2014142556.tif 000012